【手続補正書】
【提出日】平成20年5月7日(2008.5.7)
【手続補正１】
【補正対象書類名】特許請求の範囲
【補正対象項目名】全文
【補正方法】変更
【補正の内容】
【特許請求の範囲】
【請求項１】
少なくともサステイン期間を有するサブフィールドを用いて表示するプラズマディスプレイパネルの駆動方法において、
温度が第１の温度である場合には、サステイン期間において第１の幅のサステインパルスを表示電極に印加し、
温度が前記第１の温度よりも高い第２の温度である場合には、サステイン期間において前記第１の幅よりも短い第２の幅のサステインパルスを前記表示電極に印加することを特徴とするプラズマディスプレイパネルの駆動方法。
【請求項２】
請求項１記載のプラズマディスプレイパネルの駆動方法において、
温度が前記第１の温度である場合には、サステイン期間において第１の数のサステインパルスを前記表示電極に印加し、
温度が前記第２の温度である場合には、サステイン期間において前記第１の数よりも多い第２の数のサステインパルスを前記表示電極に印加することを特徴とするプラズマディスプレイパネルの駆動方法。
【請求項３】
請求項１または２記載のプラズマディスプレイパネルの駆動方法において、
温度が前記第１の温度である場合には、サステイン期間において前記第１の幅のサステインパルスを前記表示電極に繰り返し印加し、
温度が前記第２の温度である場合には、サステイン期間において前記第２の幅のサステインパルスを前記表示電極に繰り返し印加することを特徴とするプラズマディスプレイパネルの駆動方法。
【請求項４】
請求項１から３の何れか記載のプラズマディスプレイパネルの駆動方法において、
温度が前記第１の温度である場合には、サステイン期間の長さを第１の長さとし、
温度が前記第２の温度である場合には、サステイン期間の長さを前記第１の長さより長い第２の長さとすることを特徴とするプラズマディスプレイパネルの駆動方法。
【請求項５】
請求項１から４の何れか記載のプラズマディスプレイパネルの駆動方法において、
温度が第１の温度の場合には、サステイン期間において前記第１の幅のサステインパルスを前記表示電極に印加し、
温度が前記第１の温度よりも高い前記第２の温度の場合には、サステイン期間において前記第１の幅よりも短い第２の幅のサステインパルスを前記表示電極に印加し、
温度が前記第２の温度よりも高い第３の温度の場合には、サステイン期間において前記第２の幅よりも短い第３の幅のサステインパルスを前記表示電極に印加することを特徴とするプラズマディスプレイパネルの駆動方法。
【請求項６】
少なくともサステイン期間を有するサブフィールドを用いて表示するプラズマディスプレイパネルの駆動方法において、
温度が第１の温度である場合のサステイン期間を第１のサステイン期間とし、
温度が前記第１の温度より高い第２の温度である場合のサステイン期間を第２のサステイン期間としたとき、
前記第２のサステイン期間は前記第１のサステイン期間よりも長いことを特徴とするプラズマディスプレイパネルの駆動方法。
【請求項７】
請求項６記載のプラズマディスプレイパネルの駆動方法において、
温度が前記第１の温度である場合には、サステイン期間において第１の幅のサステインパルスを前記表示電極に印加し、
温度が前記第２の温度である場合には、サステイン期間において前記第１の幅よりも短い第２の幅のサステインパルスを前記表示電極に印加することを特徴とするプラズマディスプレイパネルの駆動方法。
【請求項８】
請求項７記載のプラズマディスプレイパネルの駆動方法において、
温度が前記第１の温度である場合には、サステイン期間において前記第１の幅のサステインパルスを前記表示電極に繰り返し印加し、
温度が前記第２の温度である場合には、サステイン期間において前記第２の幅のサステインパルスを前記表示電極に繰り返し印加することを特徴とするプラズマディスプレイパネルの駆動方法。
【請求項９】
請求項７または８記載のプラズマディスプレイパネルの駆動方法において、
温度が前記第１の温度である場合には、サステイン期間において第１の数のサステインパルスを前記表示電極に印加し、
温度が前記第２の温度である場合には、サステイン期間において前記第１の数よりも多い第２の数のサステインパルスを前記表示電極に印加することを特徴とするプラズマディスプレイパネルの駆動方法。
【請求項１０】
請求項６から９の何れか記載のプラズマディスプレイパネルの駆動方法において、
温度が前記第１の温度の場合には、前記サステイン期間において第１の幅のサステインパルスを前記表示電極に印加し、
温度が前記第１の温度よりも高い前記第２の温度の場合には、前記サステイン期間において前記第１の幅よりも短い第２の幅のサステインパルスを前記表示電極に印加し、
温度が前記第２の温度よりも高い第３の温度の場合には、前記サステイン期間において前記第２の幅より短い第３の幅のサステインパルスを前記表示電極に印加することを特徴とするプラズマディスプレイパネルの駆動方法。
【請求項１１】
少なくともサステイン期間を有するサブフィールドを用いて表示するプラズマディスプレイパネルにおいて、
第１の基板に形成され、第１方向に伸びるアドレス電極と、
前記第１の基板に対向する第２の基板に形成され、前記第１方向と交差する第２方向に伸びる表示電極と、
前記表示電極にパルスを印加する駆動部と、
温度を検出する温度検出器と、を備え、
前記駆動部は、温度が第１の温度である場合には、サステイン期間において第１の幅のサステインパルスを前記表示電極に印加し、温度が前記第１の温度よりも高い第２の温度である場合には、サステイン期間において前記第１の幅よりも短い第２の幅のサステインパルスを前記表示電極に印加することを特徴とするプラズマディスプレイパネル。
【請求項１２】
請求項１１記載のプラズマディスプレイパネルにおいて、
前記駆動部は、温度が前記第１の温度である場合には、サステイン期間において第１の数のサステインパルスを前記表示電極に印加し、温度が前記第２の温度である場合には、サステイン期間において前記第１の数よりも多い第２の数のサステインパルスを前記表示電極に印加することを特徴とするプラズマディスプレイパネル。
【請求項１３】
請求項１１または１２記載のプラズマディスプレイパネルにおいて、
前記駆動部は、温度が前記第１の温度である場合には、サステイン期間において前記第１の幅のサステインパルスを前記表示電極に繰り返し印加し、温度が前記第２の温度である場合には、サステイン期間において前記第２の幅のサステインパルスを前記表示電極に繰り返し印加することを特徴とするプラズマディスプレイパネル。
【請求項１４】
請求項１１から１３の何れか記載のプラズマディスプレイパネルにおいて、
前記駆動部は、温度が前記第１の温度である場合には、サステイン期間の長さを第１の長さとし、温度が前記第２の温度である場合には、サステイン期間の長さを前記第１の長さより長い第２の長さとすることを特徴とするプラズマディスプレイパネル。
【請求項１５】
請求項１１から１４の何れか記載のプラズマディスプレイパネルにおいて、
前記駆動部は、温度が前記第１の温度の場合には、前記サステイン期間において第１の幅のサステインパルスを前記表示電極に印加し、
温度が前記第１の温度よりも高い前記第２の温度の場合には、前記サステイン期間において前記第１の幅よりも短い第２の幅のサステインパルスを前記表示電極に印加し、
温度が前記第２の温度よりも高い第３の温度の場合には、前記サステイン期間において前記第２の幅より短い第３の幅のサステインパルスを前記表示電極に印加することを特徴とするプラズマディスプレイパネル。
【請求項１６】
少なくともサステイン期間を有するサブフィールドを用いて表示するプラズマディスプレイパネルにおいて、
第１の基板に形成され、第１方向に伸びるアドレス電極と、
前記第１の基板に対向する第２の基板に形成され、前記第１方向と交差する第２方向に伸びる表示電極と、
前記表示電極にパルスを印加する駆動部と、
温度を検出する温度検出器と、を備え、
温度が第１の温度である場合のサステイン期間を第１のサステイン期間とし、温度が前記第１の温度より高い第２の温度である場合のサステイン期間を第２のサステイン期間としたとき、前記第２のサステイン期間は前記第１のサステイン期間よりも長いことを特徴とするプラズマディスプレイパネル。
【請求項１７】
請求項１６記載のプラズマディスプレイパネルにおいて、
前記駆動部は、温度が前記第１の温度である場合には、サステイン期間において第１の幅のサステインパルスを前記表示電極に印加し、温度が前記第２の温度である場合には、サステイン期間において前記第１の幅よりも短い第２の幅のサステインパルスを前記表示電極に印加することを特徴とするプラズマディスプレイパネル。
【請求項１８】
請求項１７記載のプラズマディスプレイパネルにおいて、
前記駆動部は、温度が前記第１の温度である場合には、サステイン期間において前記第１の幅のサステインパルスを前記表示電極に繰り返し印加し、温度が前記第２の温度である場合には、サステイン期間において前記第２の幅のサステインパルスを前記表示電極に繰り返し印加することを特徴とするプラズマディスプレイパネル。
【請求項１９】
請求項１７または１８記載のプラズマディスプレイパネルにおいて、
前記駆動部は、温度が前記第１の温度である場合には、サステイン期間において第１の数のサステインパルスを前記表示電極に印加し、温度が前記第２の温度である場合には、サステイン期間において前記第１の数よりも多い第２の数のサステインパルスを前記表示電極に印加することを特徴とするプラズマディスプレイパネル。
【請求項２０】
請求項１６から１９の何れか記載のプラズマディスプレイパネルにおいて、
前記駆動部は、温度が前記第１の温度の場合には、前記サステイン期間において第1の幅のサステインパルスを前記表示電極に印加し、温度が前記第１の温度よりも高い前記第２の温度の場合には、前記サステイン期間において前記第１の幅よりも短い第２の幅のサステインパルスを前記表示電極に印加し、温度が前記第２の温度よりも高い第３の温度の場合には、前記サステイン期間において前記第２の幅より短い第３の幅のサステインパルスを前記表示電極に印加することを特徴とするプラズマディスプレイパネル。